(57)【特許請求の範囲】
【請求項１】
内方に貯蔵庫を有する筐体に形成された開口を開閉するためのショーケース用扉であって、
板状ガラスと、
前記板状ガラスの周縁部に配される枠体と、
前記枠体に取付けられ、当該ショーケース用扉が閉止された状態にあるときに、前記枠体と、前記筐体の前記開口の周縁部との間を封止するドアガスケットと、を備え、
前記枠体は、
前記板状ガラスの周縁部に当接し、当該ショーケース用扉が閉止された状態にあるときに相対的に庫内側に位置する樹脂製の第一枠材と、
当該ショーケース用扉が閉止された状態にあるときに相対的に庫外側に位置する金属製の第二枠材と、を含むとともに、
少なくとも前記第一枠材と前記第二枠材とによって画成される中空部を有し、
前記中空部は、前記筐体側に開口部を備え、前記開口部は、その開口縁部の一部が前記第一枠材によって、前記開口縁部の他部が前記第二枠材によって画成されてなり、
前記ドアガスケットは、軟質樹脂からなるとともに、前記開口縁部を構成する前記第一枠材および前記第二枠材の前記筐体側の面に密着する枠体当接面を備えた基部と、当該基部から前記枠体側に突設されて、前記開口部から前記中空部内に挿入されてなる挿入部と、を有しているショーケース用扉。
【請求項２】
前記ドアガスケットの前記挿入部の基端には、前記基部との間で、前記開口縁部を構成する前記第一枠材および前記第二枠材をそれぞれ挟持可能な、第一片部および第二片部が突設され、前記第一片部は、前記第二片部よりも長く延びて突設されている請求項１に記載のショーケース用扉。
【請求項３】
前記ドアガスケットの前記挿入部は、内部に空洞を有して前記基部から突出形成されており、前記空洞の内方には、当該挿入部の突出端から前記基部との間に橋架されて前記基部を支持する支持部が形成されている請求項１または請求項２に記載のショーケース用扉。
【発明の詳細な説明】
【技術分野】
【０００１】
本明細書によって開示される技術は、恒温の貯蔵庫を備えたショーケースに取付けるためのショーケース用扉に関する。
【背景技術】
【０００２】
近年、コンビニエンスストアやスーパーマーケット等には、食品や飲料品等を、温蔵、冷蔵もしくは冷凍保管しつつ展示するショーケースが広く設置されており、このようなショーケース用の扉として、板状ガラスの周縁を枠体で保持したものが一般的に使用されている。枠体には、扉が閉止された状態において、貯蔵庫の開口を形成する筐体壁面に密着して貯蔵庫の気密性を確保するための、ドアガスケットが装着される。
【０００３】
枠体へのドアガスケットの装着構造としては、例えば下記特許文献１に記載のものが提案されている。特許文献１に記載の装着構造では、ドアガスケットの基部片から突設形成されるリップ付挿入部が、枠材の開口から内部の空間部内に挿入され、挿入部の突出端側に形成されたリップ部が、挿入開口を覆うように保持係止されるとともに、同じく基部片から突設形成される係止部が、枠材の庫内側に形成された溝部に嵌合係止される。
【先行技術文献】
【特許文献】
【０００４】
【特許文献１】実開平６−４０７８５号
【発明の概要】
【発明が解決しようとする課題】
【０００５】
上記構造によれば、関連部材の点数を低減して、枠体へのドアガスケットの装着を容易に行うことができるが、金属製の枠材で庫内側と庫外側とが繋がっており、またドアガスケットの庫内側部分と庫外側部分も金属製の枠材で繋がっているため、枠材およびドアガスケットを介して庫内の熱が伝導して放熱（放冷）され、エネルギーロスを生じる虞があった。また、ドアガスケットのリップ部は、挿入部の突出端側に形成されているため、挿入部全体を枠材の開口から確実に挿入すると、挿入後の開口周縁部とリップ部との間に一定のクリアランスが生じ、ドアガスケットは、枠材と密着しない状態で固定されて不安定となる虞があった。
【０００６】
上記事情に鑑み、本明細書は、高い省エネルギー性と構造安定性を有するショーケース用扉を提供可能な技術を開示する
【課題を解決するための手段】
【０００７】
本明細書は、内方に貯蔵庫を有する筐体に形成された開口を開閉するためのショーケース用扉であって、板状ガラスと、前記板状ガラスの周縁部に配される枠体と、前記枠体に取付けられ、当該ショーケース用扉が閉止された状態にあるときに、前記枠体と、前記筐体の前記開口の周縁部との間を封止するドアガスケットと、を備え、前記枠体は、前記板状ガラスの周縁部に当接し、当該ショーケース用扉が閉止された状態にあるときに相対的に庫内側に位置する樹脂製の第一枠材と、当該ショーケース用扉が閉止された状態にあるときに相対的に庫外側に位置する金属製の第二枠材と、を含むとともに、少なくとも前記第一枠材と前記第二枠材とによって画成される中空部を有し、前記中空部は、前記筐体側に開口部を備え、前記開口部は、その開口縁部の一部が前記第一枠材によって、前記開口縁部の他部が前記第二枠材によって画成されてなり、前記ドアガスケットは、軟質樹脂からなるとともに、前記開口縁部を構成する前記第一枠材および前記第二枠材の前記筐体側の面に密着する枠体当接面を備えた基部と、当該基部から前記枠体側に突設されて、前記開口部から前記中空部内に挿入されてなる挿入部と、を有しているショーケース用扉を開示する。
【０００８】
上記構成によれば、枠体は、庫内側に配した熱伝導性の低い樹脂製の第一枠材と、庫外側に配した強度と化粧性を備えた金属製の第二枠材で構成される。これにより、枠体に必要な剛性を確保しつつ枠体そのものの断熱性を向上させることができる。同時に、ドアガスケットを、これを介した庫内側部分から庫外側部分への熱伝導が抑制された態様で、枠体に取り付け可能となる。また、ドアガスケットの基部が、第一枠材係止部および第二枠材係止部に密着する枠体当接面を備えていることにより、枠体とドアガスケットとの密着性が保持され、安定した状態で装着固定可能となる。
【０００９】
この結果、ショーケース用扉周縁部からのエネルギーロスが低減されるとともに、扉と筐体との密着性、ひいては貯蔵庫の気密性が高まって断熱性能が向上し、高い省エネルギー性を有するショーケース用扉が得られる。また、扉のガタツキが低減されて、ドアガスケットが意図せず外れるような事態が抑制され、耐久性が向上するなど、高い構造安定性を備えたショーケース用扉が得られる。
【００１０】
上記構成のショーケース用扉において、前記ドアガスケットの前記挿入部の基端には、前記基部との間で、前記開口縁部を構成する前記第一枠材および前記第二枠材をそれぞれ挟持可能な、第一片部および第二片部が突設され、前記第一片部は、前記第二片部よりも長く延びて突設されていてもよい。
【００１１】
上記構成によれば、枠体の開口縁部を構成する第一枠材および第二枠材は、ドアガスケットの基部と、第一片部および第二片部との間に挟持される。これにより、ドアガスケットの挿入部が枠体の中空部内にしっかりと保持されて、ドアガスケットと枠体との固定構造のさらなる安定化が図られる。ここで、第一片部を、第二片部に比して長く延びる形状としたことで、温度による寸法変化を生じ易い第一枠材とドアガスケットとの密着性を維持し易くなっており、様々な条件下で安定した固定構造が確保できる。他方、第二片部は、比較的短い形状としたことで、両片部を長くした場合と比較して、枠体の開口部から挿入部を押し込んでドアガスケットを取り付ける作業が容易となる。この結果、製作時の作業性を低下させることなく、さらに優れた省エネルギー性と構造安定性を有するショーケース用扉が得られる。
【００１２】
上記構成のショーケース用扉において、前記ドアガスケットの前記挿入部は、内部に空洞を有して前記基部から突出形成されており、前記空洞の内方には、当該挿入部の突出端から前記基部との間に橋架されて前記基部を支持する支持部が形成されていてもよい。
【００１３】
上記構成によれば、ドアガスケットから突出形成される挿入部は、内部に空洞を有する。これにより、枠体の開口から中空部へ、挿入部を弾性変形させつつ容易に挿入できる。ここで、基部と、挿入部の突出端との間に支持部が形成されていることで、挿入部の剛性が増大し、枠体への挿入時に過度に挿入部が押圧された場合でも、その形状を回復し易くなる。この結果、挿入部が枠体の中空部内にしっかりと保持されて、ドアガスケットと枠体との固定構造のさらなる安定化が図られる。よって、一層優れた省エネルギー性と構造安定性を有するショーケース用扉が得られる。
【発明の効果】
【００１４】
本明細書によって開示される技術によれば、高い省エネルギー性と構造安定性を有するショーケース用扉を得ることができる。
【図面の簡単な説明】
【００１５】
【図１】一実施形態に係るショーケース用扉が取り付けられた、冷蔵ショーケースの外観正面図
【図２】ショーケースの縦断面図
【図３】ショーケース用扉の外観斜視図
【図４】図１におけるＡ−Ａ断面図
【図５】板状ガラスに取付けた状態の枠体の横断面図
【図６】ドアガスケットの横断面図
【発明を実施するための形態】
【００１６】
＜実施形態＞
以下、好ましい実施形態について、図１から図６を参照しながら説明する。本実施形態では、縦型のスイング開閉式冷蔵ショーケース１に取り付けるためのショーケース用扉１０を例示する。なお、以下の説明では、図１における手前側を前側、奥側を後側もしくは背面側、左側を左側、右側を右側とする。
【００１７】
まず、本実施形態に係るショーケース用扉１０が取り付けられるショーケース１の全体構造について、図１および図２を参照しながら以下に説明する。
図１に示すように、ショーケース１は、前面開口の縦長の断熱箱体から構成される貯蔵庫本体２（筐体）と、貯蔵庫本体２の下方に配設される機械室３０とを備える。
図２に示すように、貯蔵庫本体２は、内方が貯蔵室２０（貯蔵庫）とされており、貯蔵室２０の内部には、食品や飲料品を冷蔵陳列するための複数の棚板２２が上下に離間して並ぶように配設される。そして、貯蔵室２０の前面に開設された前方に開放する矩形状の開口２１に、一対のショーケース用扉１０が観音開き形式にスイング開閉するように装着される。
【００１８】
貯蔵庫本体２の下方に配設される機械室３０内には、少なくとも圧縮機と、凝縮器ファンを備えた凝縮器と、を含む図示しない冷凍装置が収容されている。機械室３０は、底面四隅に設けられた脚３１によって支持されており、前面パネル３２には外気を機械室３０内に取り込むための吸気口３３が、背面パネルには上記冷凍装置を冷却した後の排熱を排出するための排気口（図示しない）が、設けられている。
【００１９】
他方、図２に示すように、ショーケース１における貯蔵室２０の天井部における後側には、ドレンパンを兼ねたエアダクト４１が張設されることで冷却器室４０が画成されており、この冷却器室内に冷却器４２および冷気循環ファン４３が収容されている。また、冷却器室４０における前側には吸込口４４が、後側には吹出口４５が設けられて、冷却器室４０と貯蔵室２０とが連通した構造とされている。そして、この冷却器室内に収容された冷却器４２と、上記機械室３０内の冷凍装置とが冷媒配管によって循環接続されて、周知の冷凍回路が形成されている。
【００２０】
ショーケース１の冷却運転は、上記冷凍装置および冷気循環ファン４３が駆動されることで行われる。冷気循環ファン４３が駆動され、貯蔵室２０内の庫内空気が、吸込口４４から吸い込まれて冷却器室４０内に導かれると、吸い込まれた庫内空気が冷却器４２を流通する間に熱交換されて、冷気が生成される。このように生成された冷気が、吹出口４５等から貯蔵室２０内に吹出されて、貯蔵室２０内が冷却される。
この間、冷凍装置等と併せて、機械室３０内に設置された凝縮器ファンも駆動される。凝縮器ファンにより、機械室３０の前面パネル３２に設けられた吸気口３３から外気が吸い込まれて機械室３０内に導かれると、吸い込まれた外気は、凝縮器や圧縮機の間を流れることでこれらを冷却する。熱交換により温められた空気は、図示しない背面パネルに設けられた排気口から排気されて、排熱が行われるようになっている。
【００２１】
次に、貯蔵室２０前面の開口２１にスイング開閉可能に装着される観音開き形式のショーケース用扉１０の構造について、図３および図４を参照しながら説明する。
図３は、図１のショーケース１の右側に取り付けられるショーケース用扉１０の斜視図である。ショーケース１の開口２１左右に取付けられるショーケース用扉１０，１０は、互いに左右対称である以外は同様の構造であるため、以下では、右側のショーケース用扉１０について説明する。図３に示すように、ショーケース用扉１０は、大まかには、板状ガラス９０の上下左右の周縁部が、全周に亘って枠体５０で挟持された構造であり、板状ガラス９０を通してショーケース１内方の貯蔵室２０内を視認可能とされている。
【００２２】
枠体５０は、１枚の板状ガラス９０について、板状ガラス９０の左右両側端部を挟持する比較的長尺な２本の縦枠５１，５１と、上端部および下端部を挟持する比較的短尺な２本の横枠５２，５２と、の計４つの枠から構成されている。これら４つの枠は、先端が４５°に傾斜するように切断された形状とされ、板状ガラス９０の四隅において傾斜部を突き合わせるようにネジ等を介して連結される。
上下方向に延びる縦枠５１，５１のうち、ショーケース用扉１０が貯蔵庫本体２の開口２１に取り付けられた状態において中央寄りに配される縦枠５１には、取手５３が取り付け固定される。
一方、左右方向に延びる横枠５２，５２における右側の縦枠５１寄りの位置には、貯蔵庫本体２の開口２１の上下にそれぞれ設けられたヒンジ(図示しない）を嵌合可能なヒンジ穴５４が設けられ、右側端部を回転支点としてショーケース用扉１０をスイング開閉できるように開口２１に軸支可能とされている。
【００２３】
図４は、図１におけるＡ−Ａ断面図である。ショーケース用扉１０の周縁部の横断面は、ショーケース用扉１０の左右中心線もしくは上下中心線に対して対称である以外は、基本的に同様の構造であるため、以下では、図４に基づき、貯蔵庫本体２の開口２１右側に取り付けられる扉の右側端側の縦枠５１を含む周縁部を例として、枠体５０等の構造について説明する。なお、図４では、下側が前側（図１における手前側）、上側が後側もしくは背面側、左側が左側、右側が右側となっており、左上部が貯蔵室２０の庫内側である。
【００２４】
図４に示すように、縦枠５１は、ポリプロピレン等の樹脂からなる第一枠材６０と、スチール等の金属からなる第二枠材７０の２つの枠材から形成されている。また、縦枠５１の長手方向に沿って、ショーケース用扉１０の全周に亘るように切れ目なくドアガスケット８０が取り付けられる。このドアガスケット８０は、ショーケース用扉１０が閉止された状態において、貯蔵庫本体２の開口２１を画成する壁面に吸着して、ショーケース用扉１０と貯蔵庫本体２との間を密閉する機能を有する。
【００２５】
第一枠材６０について説明する。
図５等に示すように、第一枠材６０の横断面は、大まかには、板状ガラス９０の端面に向けて開口するコの字型断面をなす部分の後側（貯蔵庫本体２側）に、略矩形枠状断面をなす部分が連設された概形をなす。
具体的には、板状ガラス９０の右側（庫外側）の端面に沿って配される端面壁部６３の前端から、板状ガラス９０の前面（庫外側の板面）に沿って庫外面壁部６１が延設される一方、端面壁部６３の後端からは、板状ガラス９０の後面（庫内側の板面）に沿って庫内面壁部６２が延設されている。庫外面壁部６１先端の左端、および庫内面壁部６２の左端には、板状ガラス９０に向けて突出する庫外面側突起６１Ａ、および庫内面側突起６２Ａがそれぞれ形成されており、板状ガラス９０は、端面壁部６３、庫外面壁部６１、庫内面壁部６２からなるコの字型断面をなす部分の内方において、庫外面側突起６１Ａおよび庫内面側突起６２Ａの間に挟持される。
【００２６】
庫内面壁部６２の後側には、これを含んだ形で略矩枠状断面をなす部分が形成されている。庫内面壁部６２の左端部から、後側（貯蔵庫本体２側）に向けて内壁部６４が延設される一方、庫内面壁部６２の右端部からは、同じく後側に向けて側壁部６６が延設され、内壁部６４と側壁部６６の後端が、後壁部６５によって連結されることで、これらの内部に略矩形状の第一中空部６９が画成されている。なお、側壁部６６は、端面壁部６３から延出するように設けられた前寄りの部分が段差状に屈曲されて、後寄りの部分が板状ガラス９０の端面とほぼ面一となるように形成されている。また、後壁部６５の右側（第二枠材側）の先端は、側壁部６６との接続部分よりも右側に延出しており、後述する主中空部５９（中空部）の開口部５８の一部を形成する第一縁部（開口縁部の一部）６５Ａとされる。
【００２７】
端面壁部６３において、庫外面壁部６１との角部には、右側（後述する第二枠材側）に向けて鉤状に突出する第一係止片６３Ａが、側壁部６６寄りの位置には、同じく右側（第二枠材側）に向けて突出する第二係止片６３Ｂが、形成されている。また、側壁部６６において、端面壁部６３寄りの位置には、同じく右側（第二枠材側）に向けて、前述の第一係止片６３Ａに対向する鉤状に突出する第三係止片６６Ａが形成されている。第一係止片６３Ａに、後述する第二枠材７０の第一被係止片７４Ａが、第二係止片６３Ｂおよび第三係止片６６Ａの間に、後述する第二枠材７０の第二被係止片７４Ｂが、それぞれ係止されることで、後述する第二枠材７０が第一枠材６０に取付けられる。
【００２８】
第二枠材７０について説明する。
図５等に示すように、第二枠材７０は、大まかには、略逆Ｌ字型の概形をなす。
具体的には、左右に延びる前壁７１と、前後に延びる外壁７２とが略直角をなすように連結され、この角部内方に、前壁７１の略中央付近から後側（貯蔵庫本体２側）に向けて延設された係止壁７４と、係止壁７４の略中央部と外壁７２との間を連結して支持する支持壁７３によって、略矩形状の第二中空部７９が画成されている。
【００２９】
係止壁７４において、前壁７１寄りの位置には第一被係止片７４Ａが、後端部には第二被係止片７４Ｂが、いずれも第一枠材６０側（左側）に向けて段差状に屈曲するように形成されており、前述のように、これらが、第一係止片６３Ａ、並びに、第二係止片６３Ｂおよび第三係止片６６Ａに係止されることで、第二枠材７０が第一枠材６０に取付けられる。第二枠材７０は、第一枠材６０に取付けられると、前壁７１の後面を、第一枠材６０の庫外面壁部６１の前面に当接させた状態で、第一枠材６０よりも相対的に前側（庫外側）に配されるように保持される。
また、外壁７２において、支持壁７３との連結部分よりも後側の位置には、円形断面のヒータ等を嵌合支持可能なヒータ保持部７２Ｂが突設されている。外壁７２の後側の先端は、第一枠材６０の第一縁部６５Ａに向けて屈曲されて、後述する主中空部５９の開口部５８の一部を形成する第二縁部（開口縁部の他部）７２Ａとされる。
【００３０】
第二枠材７０が第一枠材６０に取付けられて構成された縦枠５１の内部には、第一枠材６０の側壁部６６および第三係止片６６Ａ、並びに、第二枠材７０の外壁７２と係止壁７４の一部および支持壁７３によって、主中空部５９が画成される。主中空部５９は、後側（貯蔵庫本体２側）に、第一枠材６０の第一縁部６５Ａおよび第二枠材７０の第二縁部７２Ａによって画成される開口部５８を有する。この開口部５８から、後述する挿入部８２を挿入係止することにより、ドアガスケット８０が取り付けられる。
【００３１】
ドアガスケット８０について説明する。
ドアガスケット８０は、ウレタンフォーム等の柔軟な樹脂（軟質樹脂）を、図６等に示すような形状に押出成形したものを用いることができる。図４等に示すように、ドアガスケット８０は、縦枠５１の後面（貯蔵庫本体２側の面）に沿って配される基部８１の前側（縦枠５１側）に挿入部８２が、後側（貯蔵庫本体２側）に本体部８６が、形成された概形をなす。
図６に示すように、基部８１は、第一枠材６０の後面（貯蔵庫本体２側の面）に密着する第一枠材当接面８１Ａ（枠体当接面）と、第二枠材７０の後面（貯蔵庫本体２側の面）に密着する第二枠材当接面８１Ｂ（枠体当接面）を備える。第一枠材当接面８１Ａは、第二枠材当接面８１Ｂよりも大きな面積を有している。第二枠材当接面８１Ｂの右側の先端部は、前側に向けてやや屈曲されたヒレ状に形成されている。
【００３２】
基部８１後側（貯蔵庫本体２側）の本体部８６は、基部８１および挿入部８２よりも肉薄な樹脂層により中空状に形成されており、この内部には、磁石が収容されるマグネット収容室８３と、２つの空気室８４、８５が画成されている。ショーケース用扉１０が閉止された状態において、本体部８６は、マグネット収容室８３内に保持された磁石により、貯蔵庫本体２の開口２１周囲の前壁に密着し、空気室８４、８５を適宜変形させながら開口２１の周縁を封止することにより、貯蔵室２０内の気密性を維持できるようにされている。
【００３３】
基部８１前側（縦枠５１側）右寄りの位置からは、縦枠５１の主中空部５９内に挿入係止される挿入部８２が突設されている。挿入部８２は、内部に空洞８９を有する両矢印形状に突出形成されている。空洞８９の中央部には、挿入部８２の突出先端部と基部８１とを橋架して支持する支持部８２Ｃが設けられている。また、挿入部８２の基端、矢印の矢尻部分に当たる部分には、左側（第一枠材６０側）に向けて突出する第一片部８２Ａと、右側（第二枠材７０側）に向けて突出する第二片部８２Ｂが形成されている。ここで、第一片部８２Ａは、第二片部８２Ｂよりも長く延びるように形成されており、支持部８２Ｃに対し、第二片部８２Ｂとは非対称な形状とされている。
【００３４】
ドアガスケット８０の縦枠５１への取付手順の一例について説明する。
ドアガスケット８０は、板状ガラス９０が第一枠材６０に組み付けられ、第二枠材７０が第一枠材６０に取付けられて縦枠５１が形成された後に、縦枠５１に取付けることができる。
【００３５】
縦枠５１の後側にドアガスケット８０を配置し、縦枠５１に形成された開口部５８に、挿入部８２を第一片部８２Ａ側から挿入する。そして、挿入部８２全体を弾性変形させつつ押し込んで、第一縁部６５Ａの先端を挿入部８２の左側面に当接させると同時に、第二片部８２Ｂを第二縁部７２Ａの前側に押し入れる。これにより、第一枠材当接面８１Ａと第一片部８２Ａとの間に、第一枠材６０の第一縁部６５Ａが、第二枠材当接面８１Ｂと第二片部８２Ｂとの間に、第二枠材７０の第二縁部７２Ａが、それぞれ嵌め込まれた形で挟持されて、ドアガスケット８０が縦枠５１に保持される。
【００３６】
本実施形態によれば、以下のような作用効果を得ることができる。
本実施形態では、縦枠５１（枠体５０）が、庫内側に配した熱伝導性の低い樹脂製の第一枠材６０と、庫外側に配した強度と化粧性を備えた金属製の第二枠材７０とで構成される。これにより、枠体５０に必要な剛性を確保しつつ枠体５０そのものの断熱性を向上させると同時に、ドアガスケット８０を介した熱伝導を抑制することができる。この結果、ショーケース用扉１０の周縁部からのエネルギーロスが低減され、高い省エネルギー性を有するショーケース用扉１０が得られる。
【００３７】
本実施形態では、ドアガスケット８０が縦枠５１に取付けられると、第一枠材当接面８１Ａおよび第二枠材当接面８１Ｂが、第一枠材６０および第二枠材７０の後面（貯蔵庫本体２側の面）に密着した状態で保持される。これにより、ドアガスケット８０は、縦枠５１に安定した状態で装着固定され、ショーケース用扉１０と貯蔵庫本体２との密着性、ひいては貯蔵室２０の気密性が高まって断熱性能が向上し、高い省エネルギー性を有するショーケース用扉が得られる。また、ショーケース用扉１０のガタツキが低減されて、ドアガスケット８０が意図せず外れるような事態が抑制され、耐久性が向上するなど、高い構造安定性を備えたショーケース用扉１０が得られる。
【００３８】
本実施形態では、ドアガスケット８０の挿入部８２の基端に、第一片部８２Ａおよび第二片部８２Ｂが突設されており、これらと基部８１との間に、縦枠５１の開口部５８を画成する第一枠材６０からなる第一縁部６５Ａおよび第二枠材７０からなる第二縁部７２Ａが挟持される。これにより、ドアガスケット８０の挿入部８２が縦枠５１の主中空部５９内にしっかりと保持されて、ドアガスケット８０と縦枠５１との固定構造のさらなる安定化が図られる。
【００３９】
また、本実施形態では、第一片部８２Ａは第二片部に比して長く延びる形状とされている。これにより、温度により寸法変化を生じる虞が高い第一枠材６０に、ドアガスケット８０が密着し易くなり、様々な条件下での使用においても安定した固定構造が確保される。他方、第二片部８２Ｂが、比較的短い形状とされていることで、両片部を長くした場合と比較して、縦枠５１の開口部５８から挿入部８２を押し込んでドアガスケット８０を取り付ける作業が容易となる。この結果、製作時の作業性を低下させることなく、さらに優れた省エネルギー性と構造安定性を有するショーケース用扉１０が得られる。
【００４０】
本実施形態では、ドアガスケット８０の挿入部８２は、矢印型の外形をなし、内部に空洞８９を有するように形成される。空洞８９により、挿入部８２を弾性変形させ易くなり、縦枠５１の開口部５８から主中空部５９内への挿入部８２の挿入が容易となっている。ここで、基部８１と、挿入部８２の突出端との間に支持部８２Ｃが形成されていることで、挿入部８２の剛性が増大し、縦枠５１への挿入時に挿入部８２が過度に押圧された場合でも、形状を回復し易くなる。この結果、挿入部８２が縦枠５１の主中空部５９内にしっかりと保持されて、ドアガスケット８０と縦枠５１との固定構造のさらなる安定化が図られる。よって、一層優れた省エネルギー性と構造安定性を有するショーケース用扉１０が得られる。
【００４１】
＜その他の実施形態＞
本明細書によって開示される技術は、上記記載および図面によって説明した実施形態に限定されるものではなく、例えば以下のような実施形態も技術的範囲に含まれる。
【００４２】
（１）本明細書で開示される技術は、冷蔵ショーケースに限らず、冷凍ショーケース、保温ショーケース等にも適用できる。断熱性が高く、耐久性にも優れたショーケース用扉１０を得ることができるため、筐体の内方に画成された貯蔵庫の温度を所定の温度範囲に保つ上で省エネルギー化を図りつつ、実用性の高い構造とすることができる。
【００４３】
（２）上記実施形態では、ショーケース用扉１０は観音開き式に取り付けられるスイング開閉式のものとしたが、このような使用態様のものに限定されない。ショーケース１に取付けられる扉は、１枚であっても、複数枚であってもよく、スライド開閉式に取り付けられる扉に適用することもできる。
（３）板状ガラス９０として、複層ガラスを用いてもよい。
（４）ドアガスケット８０の挿入部８２の外形は、限定されない。主中空部５９への挿入作業を考慮すれば、雫型や三角型のように、突出端先端部が先細り形状となっているものが好ましい。
【符号の説明】
【００４４】
１…ショーケース
２…貯蔵庫本体（筐体）
１０…ショーケース用扉
２０…貯蔵室（貯蔵庫）
２１…開口
５０…枠体
５１…縦枠
５２…横枠
５８…開口部
５９…主中空部（中空部）
６０…第一枠材
６５Ａ…第一縁部
７０…第二枠材
７２Ａ…第二縁部
８０…ドアガスケット
８１…基部
８１Ａ…第一枠材当接面（枠体当接面）
８１Ｂ…第二枠材当接面（枠体当接面）
８２…挿入部
８２Ａ…第一片部
８２Ｂ…第二片部
８２Ｃ…支持部
８３…マグネット収容室
８４、８５…空気室
８６…本体部
８９…空洞
９０…板状ガラス
【図１】
0006532364.tif 000002
【図２】
0006532364.tif 000003
【図３】
0006532364.tif 000004
【図４】
0006532364.tif 000005
【図５】
0006532364.tif 000006
【図６】
0006532364.tif 000007